(57)【要約】【課題】環境に優しく、省エネルギーを実現することができる加熱および加湿空気送風機を提供すること。【解決手段】ドラバイトセラミックを内部に配置した水槽および同水槽と連結管を介して設けられた加熱部を有し、同加熱部が電熱ヒーターおよび同電熱ヒーターの外周に接触することなく設けられた筒状体および同筒状体の開口部に設けられた送風手段からなり、同筒状体が内壁面にセラミック層を有することを特徴とする加熱および加湿空気送風機である。【選択図】図１
2009052847.tif 000002
【特許請求の範囲】
【請求項１】
ドラバイトセラミックを内部に配置した水槽および同水槽と連結管を介して設けられた加熱部を有し、同加熱部が電熱ヒーターおよび同電熱ヒーターの外周に接触することなく設けられた筒状体および同筒状体の開口部に設けられた送風手段からなり、同筒状体が内壁面にセラミック層を有することを特徴とする加熱および加湿空気送風機。
【請求項２】
前記電熱ヒーターと前記筒状体との間に形成される横断面が環状の空間が飽和水蒸気および過熱水蒸気の通路を形成する請求項１記載の加熱および加湿空気送風機。
【請求項３】
前記電熱ヒーターが石英管に内蔵されたヒーターまたは外面にセラミック層を有するヒーターである請求項１または２記載の加熱および加湿空気送風機。
【請求項４】
前記ドラバイトがさらに、銀、チタン、および白金から選ばれる少なくとも一つを含む混合物である請求項１〜３のいずれかに記載の加熱および加湿空気送風機。
【請求項５】
前記セラミック層が遠赤外線塗料を塗布して形成されたものである請求項１〜４のいずれかに記載の加熱および加湿空気送風機。
【請求項６】
前記電熱ヒーターが半導体熱交換素子からなる請求項１〜５のいずれかに記載の加熱および加湿空気送風機。
【請求項７】
前記筒状体の外周に断熱カバーが設けられている請求項１〜６のいずれかに記載の加熱および加湿空気送風機。
【請求項８】
前記筒状体と断熱カバーとの間の横断面が環状の空間が室内空気の通路を形成する請求項７に記載の加熱および加湿空気送風機。
【請求項９】
人の居住室内の暖房及び加湿に用いられる請求項１〜８のいずれかに記載の加熱および加湿空気送風機。
【請求項１０】
厩舎内の暖房及び加湿に用いられる請求項１〜８のいずれかに記載の加熱および加湿空気送風機。
【発明の詳細な説明】
【技術分野】
【０００１】
本発明は加熱および加湿空気送風機に関する。さらに詳しくは、活性化した水を飽和水蒸気とし、次いで過熱水蒸気に変換した後、暖房用および加湿用の温風として排出する機能を有する、環境に優しく、省エネルギーを実現することができる加熱および加湿空気送風機に関するものである。
【背景技術】
【０００２】
従来の加熱空気送風機としては、例えば、温風ファンヒーターや石油ファンヒーターが汎用されている。
温風ファンヒーターは、空気を加熱するヒーターと、ヒーターで加熱された空気を送風するファンと、これらを配置する筐体とを備え、ヒーターによって筐体内の空気を加熱した後、ファンによって筐体内から外部へ加熱空気を送風することによって室内を暖房するような構造を有している。
また、石油ファンヒーターは、石油を貯留するタンクと、タンクから供給される石油を燃焼させるバーナーと、バーナーによって加熱された空気を送風するファンと、これらの配置する筐体とを備え、ファンによってバーナーで加熱された空気を筐体内から外部へ送風することによって室内を暖房するようにしている。
しかしながら、従来の温風ファンヒーターの場合には、ヒーターによって空気を加熱し、空気を更に乾燥させた状態で室内へ送風するため、室内の空気が乾燥する上に、温風の熱容量が小さく、暖房効率が悪い。また、石油ファンヒーターの場合には、石油を燃焼して二酸化炭素が発生するため、室内の換気が必要であり、さらに、二酸化炭素により環境に負荷がかかり、地球温暖化の観点に立つと極力環境負荷の少ない暖房機が望まれる。
室内の空気が乾燥するのを防止する機能を有する暖房機として、過熱水蒸気を利用したものがある。
飽和水蒸気を加熱すれば乾いた水蒸気となり、水蒸気温度を高温に上げることができることは知られている。このような高温の乾燥水蒸気は一般的には過熱水蒸気と呼ばれ、サウナ風呂用の加熱媒体として知られている（例えば、特許文献１）。
さらに、食品の加工処理・解凍・焙煎・乾燥や有機性廃棄物の炭化処理・乾燥・減容化、各種熱源、金属の表面処理等において加熱媒体として過熱水蒸気が用いられるようになってきた（例えば、特許文献２〜４等）。
過熱水蒸気は高温で活性が高いこと、温度が簡単に８００℃くらいまで上がること、温度制御がしやすいこと、乾燥空気より物質の乾燥能力や熱を伝える効率が高いこと、物質の焼却能力や油の除去機能が高いこと等、酸化を嫌う食物の焙煎に適した機能を有している。
従来の過熱水蒸気発生装置としては、金属管をコイル状に巻いて形成された被加熱部を誘導加熱によって加熱すると共に、この被加熱部に飽和水蒸気を通気させて過熱水蒸気を発生させるものが知られている（例えば、特許文献５〜８等）。
一方、トルマリン等（グループ名は「電気石」）およびドラバイト（マグネシウム含有量の多いトルマリン、別名「苦土電気石」）は０．０２〜０．０６ミリアンペア程度の半永久電極を有する天然の鉱物であり、各種の用途が知られている。
例えば、外部に電源を設けることなく活性イオン水を発生させる技術として、トルマリン鉱石で水のクラスターを小さくする活性イオン水製造装置が提案されている（特許文献９）。また、トルマリン鉱石・黒曜石・北投石・麦飯石・ラジュウム鉱石等に温熱で圧力を加え、マイナスイオン・遠赤外線・湿度を発生させて落差により室内に散布させたイオン等を高湿度に室内空気と混合できるため、サウナ風呂関係に使用することが提案されている（特許文献１０）。
上記のような各種の技術が提案されているが、ドラバイトセラミック（以下、単にドラバイトと記すことがある）を用いてマイナスイオン化された活性イオン水を過熱水蒸気とし、それを暖房および加湿機として利用する提案はなされたことがなかった。
【０００３】
【特許文献１】特開２００６−１５８６２９号公報
【特許文献２】特開２００４−０４１１７０号公報
【特許文献３】特開２００６−３２８１０１号公報
【特許文献４】特開２００７−０８３２１７号公報
【特許文献５】特開２００３−２９７５３７号公報
【特許文献６】特開２００４−６９１６８号公報
【特許文献７】特開２００４−１４１４７４号公報
【特許文献８】特開２００４−２０５１４６号公報
【特許文献９】特開２００２−３３６８７７号公報
【特許文献１０】特開２００６−３２６２４２号公報
【発明の開示】
【発明が解決しようとする課題】
【０００４】
上記のような状況の下、本発明は環境に優しく、省エネルギーを実現することができる加熱および加湿空気送風機を提供することにある。
【課題を解決するための手段】
【０００５】
本発明者は、鋭意研究した結果、ドラバイトセラミックを用いて活性化した水を過熱水蒸気として用いることにより上記課題を達成することができることを見出し、本発明を完成させるに至った。
すなわち、本発明は以下（1）〜
（1）ドラバイトセラミックを内部に配置した水槽および同水槽と連結管を介して設けられた加熱部を有し、同加熱部が電熱ヒーターおよび同電熱ヒーターの外周に接触することなく設けられた筒状体および同筒状体の開口部に設けられた送風手段からなり、同筒状体が内壁面にセラミック層を有することを特徴とする加熱および加湿空気送風機、
（2）前記電熱ヒーターと前記筒状体との間に形成される横断面が環状の空間が飽和水蒸気および過熱水蒸気の通路を形成する上記（1）記載の加熱および加湿空気送風機、
（3）前記電熱ヒーターが石英管に内蔵されたヒーターまたは外面にセラミック層を有するヒーターである上記（1）または（2）記載の加熱および加湿空気送風機、
（4）前記ドラバイトがさらに、銀、チタン、および白金から選ばれる少なくとも一つを含む混合物である上記（1）〜（3）のいずれかに記載の加熱および加湿空気送風機、
（5）前記セラミック層が遠赤外線塗料を塗布して形成されたものである上記（1）〜（4）のいずれかに記載の加熱および加湿空気送風機、
（6）前記電熱ヒーターが半導体熱交換素子からなる上記（1）〜（5）のいずれかに記載の加熱および加湿空気送風機、
（7）前記筒状体の外周に断熱カバーが設けられている上記（1）〜（6）のいずれかに記載の加熱および加湿空気送風機、
（8）前記筒状体と断熱カバーとの間の横断面が環状の空間が室内空気の通路を形成する上記（7）に記載の加熱および加湿空気送風機、
（9）人の居住室内の暖房及び加湿に用いられる上記（1）〜（8）のいずれかに記載の加熱および加湿空気送風機、および
（10）厩舎内の暖房及び加湿に用いられる上記（1）〜（8）のいずれかに記載の加熱および加湿空気送風機を提供するものである。
【発明の効果】
【０００６】
本発明の加熱および加湿空気送風機は、暖房や加湿などに利用し得る上、省エネルギーを実現することができ、二酸化炭素を発生することがないので人や動物に優しい環境を提供することができる。
【発明を実施するための最良の形態】
【０００７】
以下、本発明の一実施態様を示した図１を用いて詳細に説明する。
本発明において、ドラバイトセラミック１は水槽２に配置されて用いられる。
ドラバイト（Ｄｒａｖｉｔｅ）とは、各種トルマリンの中でマグネシウム含有量の多いものである。ドラバイトは他のトルマリンの２．５倍程度の電気力を有する電気石で多面体極性結晶体であり、０．０６ミリアンペア程度の半永久電極を有する天然鉱物であり、中国天山山脈産出のものが著名である。
ドラバイトセラミックの一般的な主成分はＳｉＯ2：３２．７質量％、Ｂ2Ｏ3：９．３４質量％、Ａｌ2Ｏ3：２３．３４質量％、Ｆｅ2Ｏ3：３．８１質量％、ＭｇＯ：２２．６４質量％、ＣａＯ：２．３０質量％、Ｎａ2Ｏ：０．３５質量％、Ｌｉ2Ｏ：０．２０質量％、Ｐ2Ｏ5：０．０５質量％、Ｆ：０．０６質量％、その他５．１２質量％であると紹介されている（特開２００５−３１９４４１号公報）。
本発明においてドラバイトセラミックは、粒子径を好ましくは３〜１０ｍｍ、通常は、７ｍｍ程度に調整して用いられる。粒子は小さければ小さいほど水槽内で水と接触する面積が増大するので好ましいが、水の流通抵抗、経時的な閉塞や経済性の観点から上記の範囲にコントロールされる。
また、ドラバイトセラミックは天然の鉱物であるため、各種の水溶性または油溶性成分を含有していることがあるので、使用する前の破砕された段階で水洗および/または有機溶剤で洗浄しておくことが好ましい。
本発明におけるドラバイトセラミックによる効果は以下のようなメカニズムによるものと推定される。
ドラバイトセラミックから発生する微弱電流による吸着効果を与えることができると共に、水の電気分解によりＯＨ-イオンと水の分子が結合してマイナスイオンを発生させることができることにより水を活性化することができる。
本発明で用いられるドラバイトセラミックは銀、チタン、および白金のような金属粒子または金属コロイドとの混合物として用いることが好ましい。
混合する際、ドラバイトセラミックは最大粒子径０．５〜１０μｍ、好ましくは０．５〜３μｍ、通常は、２μｍ程度に調整され、次いで、７ｍｍ程度に増粒されて用いられる。
金属粒子または金属コロイドのサイズは上記ドラバイトセラミック粒子のサイズと同程度にすることが好ましい。金属粒子または金属コロイドの調製は、通常、各金属のハロゲン化物等をホルムアルデヒドのような還元剤を用いて還元することにより行なう。また、各金属の塩の水溶液を調製し、これにガスバーナーの酸化炎をあてて調製することもできる。このように調製された各金属粒子または金属コロイドをドラバイトセラミックの粒子と混合して後記する結合剤と混ぜることによりコーティング剤が調製される。
銀およびチタンは硝酸塩、硫酸塩、塩酸塩等の水溶液の状態でドラバイトセラミックの粒子と混合することもできる。白金は塩化白金酸等の水溶液として混合される。これらの塩の水溶液（精製水を使用することが好ましい）を調製し、この中にドラバイトセラミックの粒子を混合して乾燥させた後、還元炎やホルムアルデヒドのような還元剤を用いて還元してドラバイトセラミックの粒子の表面に金属粒子または金属コロイドを析出させたものも本発明においては混合物とみなす。銀、チタン、および白金は２種類以上混合して用いてもよい。金属の含有量は、ドラバイトセラミックとの混合物の合計量中０．２〜１０質量％、好ましくは１〜８質量％である。
【０００８】
図１において、ドラバイトセラミック１は水蒸気となる水を活性化してマイナスイオン水に変化させる役割を有している。
水は、通常は水槽２内部の水位を一定の深さにコントロールしながら供給ノズル３から断続的に供給される。水位を一定の深さにコントロールするには、電気式の水位コントロールユニットを用いても良いが、簡便なボールタップ４を用いることが好ましい。ボールタップ４は連結棒を介して供給ノズル３の開閉弁と連結されている。
設定水位を調節するのは、図１に点線で示されているように、ボールタップ４と連結されている供給ノズル３の上下方向の取り付け位置を変更することにより行なうことができる。
供給される水は飲料用の水道水が好ましい。工業用水等の残留塩素を含まない水を用いることもできるが、長期間使用を続けているとドラバイトセラミックや水槽および後で述べる連結管や電熱ヒーターの下部にスライムが付着して汚染され、清掃に時間を要したり、短期間でドラバイトセラミックを新品のものに入れ替える必要があるので好ましくない。
水槽２の材質は金属やプラスチック等、特に制限はないが、コンパクト化が可能で耐久性もある金属、特にステンレススチールや防食加工が施されたアルミニウム、アルミニウム合金、亜鉛メッキ鋼板等の耐腐食性の金属が好ましく用いられる。水槽２には、外部からのゴミ等の侵入を防ぐために蓋が取り付けられていることが好ましい。
【０００９】
水槽２の大きさは、特に制限はないが、居住する部屋の大小に関わらず、また家畜などを収容する厩舎の空間の大小に関わらず水槽２は、ボールタップによって水位は常に一定に保つため、ボールタップが収まる大きさであれば十分である。
ドラバイトセラミック１は水槽２の底部にほぼ水平に静置され完全に水中に浸漬された状態で使用される。ドラバイトセラミック１を水槽２の底部全面に静置される場合は、前記ボールタップ（フロート部）４の上下方向の作動範囲の観点から水面の高さの７０〜９０％程度になるように調整する。
ドラバイトセラミックは必ずしも水槽の底部全面に静置させる必要ななく、図１に示されているように、水槽の底面に仕切り板（下部が多孔性または網状）を設けて片側に静置させてもよい。要は、供給ノズル３から供給された全ての水が必ずドラバイトセラミックに接触するように流れる工夫がなされていれば良い。
使用する水を十分に活性化するためには、１時間当たり蒸発水量の
１/４０〜１/３０倍（体積比）程度、好ましくは１/２０〜１/１５倍（同）のドラバイトセラミックを使用することが有利である。なお、水槽２の底部全面にドラバイトセラミックが静置される場合は、水ができるだけ長時間接触するようにジグザグの通路を形成させるための仕切り板が設けられていてもよい。ただし、仕切り板の配置の際、前記ボールタップ（フロート部）の上下方向の作動に支障がないように工夫をしておく必要がある。
【００１０】
次に、連結管５について述べる。連結管５は図１に示されているように、前記水槽の底部と後で述べる加熱部の底部を連結するものであり、前記水槽中のドラバイトセラミックで活性化された水の加熱部への通路となる。水槽２の大きさの大小に関わらず、水槽２と水蒸気化部１４にかかる大気圧によって水位は一定となるため、連結管５の内径の太さは６〜８ｍｍ程度あれば十分である。静置されたドラバイトセラミックに水ができるだけ長時間接触するようにするためには連結管５は水の供給ノズル３との水平方向の位置関係において離れた場所に設けられているのが好ましい。
連結管５は水槽２と同じ金属材料で作製されていても良いし、シリコンのチューブ等で作製されていても良い。連結管５は定期的な清掃を考慮して取り外し可能な構造にしておくことが好ましい。
【００１１】
次に、加熱部について説明する。
加熱部は電熱ヒーター６と筒状体７からなっており、特別な事情がない限り、加熱部は図１に示されているようにほぼ垂直に設けられる。
筒状体７の内壁面には遠赤外線を放射する機能を有するセラミック層８が設けられている。セラミック層８は通常、遠赤外線塗料を塗布して形成させることができる。
セラミックとしては、ＳｉＯ2、Ａｌ2Ｏ3、ＴｉＯ2、ＺｒＯ2、Ｆｅ2Ｏ3、ＣｕＯ、ＭｇＯ、ＮｉＯ、Ｌｉ2Ｏ、ＣｏＯ等の遠赤外線輻射性を有する焼成セラミックスが挙げられ、その平均粒径は１００μｍ以下、より好ましくは１５μｍ以下である。セラミックスの平均粒径を１００μｍ以下とすることによりセラミック層が脱落し易くなるのを防止する。これらのセラミックスは、一種若しくは二種以上で使用され、これらのうちＳｉＯ2、Ａｌ2Ｏ3およびＴｉＯ2は遠赤外線輻射効果が顕著に優れている。
セラミック層を形成させるには、溶射、ＣＶＤ、スパッタリングなどの製法を用いても良いが、上記のような焼成セラミックスの粒子を液体のシラン化合物等に分散させたスラリー状の遠赤外線塗料やケイ酸ナトリウムやケイ酸カリウム水溶液に上記のような焼成セラミックスの粒子を分散させたスラリー状の遠赤外線塗料が好ましく用いられる。
塗布したスラリー状の遠赤外線塗料のコーティング層を所定の温度で加熱処理することによりコーティング層全体を硬化させてセラミック層を形成させることができ、筒状体の基材との密着性の向上、セラミック層自身の強度も向上し、セラミック層の脱離等を防止することができる。
遠赤外線塗料の具体例としては、例えば、シリカ―アルミナ系液体セラミックス塗料〔例えば、セラミッション（株）製の液体セラミック、セラックα―１５００等〕が好ましく用いられる。シリカ―アルミナ系液体セラミックスから形成されたセラミック層は極めて耐熱性が高く、例えば、約１０００℃の溶鉄が接触する機器などでも使用可能である。
セラミック層８の厚さは通常５０〜２００μｍ程度あればよい。
筒状体７は電熱ヒーター６と接触することなく設けられ、細長い横断面が環状の空間１２が上下方向に形成されており、この横断面が環状の空間１２が飽和水蒸気およびそれが変化した過熱水蒸気の通路となる。ただし、飽和水蒸気や過熱水蒸気の通過に支障がない程度の細い連結部が支えとして所々に設けられていても良い。
筒状体７の底部は前記連結管５の端部と水密的に連結されており、筒状体７の内部に設けられた電熱ヒーター６の底部に前記連結管５を経由して流入してきた活性化水が接触して水蒸気化部１４で飽和水蒸気が発生する。水蒸気化部１４で発生した飽和水蒸気は上昇しながら活性化水が存在しない電熱ヒーター６と筒状体７との横断面が環状の空間１２で直接加熱され過熱水蒸気に変わる。同時に、電熱ヒーター６から発生した熱の一部はセラミック層８で遠赤外線に変化して、この遠赤外線が中心部、すなわち、電熱ヒーター６の方向に放射され、この遠赤外線も上昇する飽和水蒸気を加熱して過熱水蒸気に変えるのに寄与する。
電熱ヒーター６と筒状体７の長さ（高さ）は、前者が後者から突出しない程度に後者の方がわずかに長く（高く）設定されることが好ましい。これは筒状体７にファンの通気混入によって加熱水蒸気の未生成を防ぐ目的であり、ヒーター６の先端部より筒状体７を２〜３ｃｍ程度高くしておくことが好ましい。
筒状体７の材質は耐熱性のものであれば特に制限されないが、後で述べるセラミック層と密着性の良いものが好ましい。具体的には、表面を粗化処理したステンレス板、アルミニウム板、鋼板等が挙げられる。
筒状体７はデザイン、加工のし易さおよび強度等の観点から円筒状が好ましい。
電熱ヒーター６の出力は、使用目的よって選定する。例えば、瞬間的に出力を得たい場合は、ヒーター６の出力を上げたり、台数を増やしたりと、用途に応じた選定を行うことが好ましい。例えば、前記６畳間程度用の加熱および加湿空気送風機の場合、３ｋワット程度、前記厩舎用の加熱および加湿空気送風機の場合は３ｋ〜１０ｋワット程度である。ヒーター６は温度コントロールユニットによって制御され、設定温度によって自動に入り切りを行っており、温度設定は任意によって調整可能である。
発生する水蒸気の量は電熱ヒーター６の出力と水位の設定位置、すなわち、底部に流入してくる水の深さに依存する。
電熱ヒーター６は石英管ヒーターでも良いし、シーズヒーターでもよい。電熱ヒーター６は半導体熱交換素子からなるものが好ましい。電熱ヒーター６の外周部にも前記のようなセラミック層が形成されていてもよく、このセラミック層からも遠赤外線が発生して上昇する飽和水蒸気を加熱して過熱水蒸気に変えるのに寄与する。
筒状体７の外側には、必要に応じて、安全性および熱効率向上の観点から断熱カバー１０が設けられるのが好ましい。
図１で示されているように、断熱カバー１０の内側と筒状体７の外側との間は横断面が環状の空間１３が上下方向に形成され、この横断面が環状の空間１３は下部から流入して上部に流出する室内空気の通路となり、断熱効果とともに電熱ヒーター６から発生する熱のほとんど全てを一箇所、すなわち、上部の開口部（図１の右上３本の矢印部分）に集めて加温および加湿された空気として室内に排出させる役割を有する。断熱カバー１０の内側と筒状体７の間にも室内空気の通過に支障がない程度の細い連結部が所々に支えとして設けられていても良い。
【００１２】
次に、筒状体の頂上部に取り付けられた送風手段９について説明する。
送風手段９はファンと送風通路からなっており、送風通路の下面は図１に示されているように前記電熱ヒーター６および筒状体７の最上の開口部と外部への機密性をもたせて連結される。前記６畳間程度用の加熱および加湿空気送風機の場合は、ファンの送風容量は２.２〜２.５ｍ3/分程度、前記厩舎用の加熱および加湿空気送風機の場合は、２.２〜９.０ｍ3/分程度である。
このファンにより送られる室内空気により、５００〜８００℃程度に加熱された過熱水蒸気は前記横断面が環状の通路上部から吸引されるとともに、希釈されて６０〜１６０℃程度に加熱並びに加湿された温風として室内に排出される。なお、安全のために温風排出口に温度センサーを設けておき、ファンが故障などで停止した場合、高温の過熱水蒸気がそのまま排出されないように電熱ヒーター６の電源が切断されるように工夫しておくのが好ましい。
【００１３】
図１において、１１は電熱ヒーターに電力を供給する電極部であり、この電極部１１は１相２線２００ボルトの電源にでも、また、３相３線２００ボルトの電源にでもつなぎ換えができるように、電気接続端子が設けられている。また、１相２線２００ボルトより、３相３線２００ボルトのほうが、１／√３倍の電流値が抑えられるため加熱および加湿空気送風機の設置の供給電源は３相３線２００ボルトがこのましい。
【実施例】
【００１４】
以下に本発明の実施例を挙げて詳細に説明するが、本発明はこれらの実施例に限定されるものではない。
[調製例１]
＜ドラバイトセラミック粒子の調製＞
中国天山山脈産出のドラバイト鉱石を中国桂林鉱山機器社製の粉砕装置、雷蒙気流風選機を用いて粉砕し、２０００〜４０００メッシュのフィルターを通過させ、ドラバイトの粒子１０ｋｇを調製した。ドラバイト粒子の粒子径分布は２〜５μｍであった。
このドラバイト粒子に白金、チタン、銀のコロイド粒子を合計で混合物中４質量％（白金、チタン、銀等量）になるように混合した混合物を粒径７ｍｍ程度になるように増粒した。
【００１５】
〔実施例１〕
「株式会社 大倉」飯山工場内に家型テント（縦３．５ｍ、横５．３ｍ、高さ２．８ｍ、上部１ｍは三角形）設置した。テントの中に下記の仕様を有する加熱および加湿空気送風機を設置して各数値を５分ごとに１２０分間測定した。結果を表１に示す。
測定開始時の室温は２６．０℃、相対湿度は４１％であった（工場内を冷房してテント外気温は２４℃に保持）。
２時間の実験終了時の室温は３４℃、相対湿度は７９％で、その時点からマイナスイオン数を測定した。マイナスイオン数は共立エレクトロニクス（株）製のエアーイオンカウンター、ＫＥＣ‐９００を使用した。マイナスイオン数は１ｃｍ3あたり４,５００個（最小値約３８００個、最大値約５２００個）であった。
表１中の温度および相対湿度は吹出し口から約１.５ｍ離れた高さ７０ｃｍの位置におけるテント内空気の温度および相対湿度、水蒸気量とはその空気１ｍ3中に含まれる水蒸気量である。使用した加熱および加湿空気送風機の仕様および実験時の設定値は以下の通りである（［  ］内は実験時の設定値）。
＜仕様＞
水槽サイズ：１３ｃｍ×２０ｃｍ×３１ｃｍ
水槽中の水の深さ設定値：約２〜５ｃｍ［約３ｃｍ］
水蒸気化部水位：約２〜５ｃｍ［約３ｃｍ］
ドラバイト配置量：０.２〜０.４ｋｇ［約０．３ｋｇ］
ドラバイト配置平均深さ：約２ｃｍ［約２ｃｍ］
加熱部高さ：約６０ｃｍ
筒状体内径：８ｃｍ
セラミック層面積：約１９２０ｃｍ2
セラミック層厚さ：約３０μｍ
電熱ヒーター出力：３ｋＷ（２００Ｖ）
ファン送風量：２.２(５０Ｈｚ)〜２.５(６０Ｈｚ)ｍ3/分［２.２ｍ3/分］
使用した水：長野県飯山市水道水
加熱部上部（過熱水蒸気）温度：約６００〜８００℃［８００℃］
送風通路から室内への吹き出し口温度：約６０〜１２０℃［９０℃］
【００１６】
【表１】
2009052847.tif 000003
【００１７】
〔比較例１〕
上記実施例１で使用した加熱および加湿空気送風機からドラバイトセラミックを取り除いて実施例１と同じ条件で実施した。測定開始時の室温は２６℃、相対湿度は４１％であった。結果を表２に示す。
ドラバイトセラミックを取り除いた以外は実施例１と同様にしてマイナスイオン数を測定した結果、１ｃｍ3あたり約１８００個（最小値約１４００個、最大値約２２００個）であった。２時間の実験終了時の室温は３４℃、相対湿度は７９％であった。
【００１８】
【表２】
2009052847.tif 000004
【００１９】
〔参考例１〕
上記実施例１で使用した加熱および加湿空気送風機からドラバイトセラミックを取り除いて、かつ、水を供給せずに行なった以外は実施例１と同じ条件で実施した。測定開始時の室温は２６℃、相対湿度は５４％であった。結果を表３に示す。
マイナスイオン数を測定した結果、１ｃｍ3あたり約５００個（最小値約４００個、最大値約６００個）であった。
【００２０】
【表３】
2009052847.tif 000005
【００２１】
表１および表２の結果から明らかなように、同じ電熱量を加えてもドラバイトセラミックを使用した本発明の加熱および加湿空気送風機によれば、室内空気中の水蒸気の量が多く、開始時の相対湿度との差が大きく、加湿効果が優れていることがわかる。また、表３から明らかなように水を使用しなかった参考例１においては、加熱（暖房）効果はあるが、相対湿度が経時的に低下しており、人や動物の居住環境として不適切であることがわかる。マイナスイオンはドラバイトセラミックを使用した場合は使用しない場合の約２．５倍発生しており、自然界で滝つぼ付近に存在するマイナスイオン数が４７００個/ｃｍ3と言われているので、それに近い値を示していることがわかる。
【００２２】
〔参考例２〕
過熱水蒸気の物質に対する加熱効果を確認するためのテスト
（1）ドラバイトと水を使用した場合
テスト開始時の条件をそろえるため、工場内を冷房して２４℃に保持した。上記と同じテント内で下記のような木片及び銅板を使用して以下のように行なった。
＜木片＞
縦２．５ｃｍ×横３．０ｃｍ×高さ３．０ｃｍの木片の高さ方向中央部より深さ１．５ｃｍの穴を開けこの中に温度センサーを設置した。
＜銅板＞
縦２．５ｃｍ×横９．０ｃｍ×厚さ０．５ｃｍの銅板の裏側（直接温風が吹き付けられない面）の中央部に温度センサーを固定した。
実施例で使用した加熱および加湿空気送風機を実施例１と同じ運転条件で稼動させて、上記木片および銅板を温風吹き出し口から６０ｃｍ離れたところに設置して５分毎に６０分間測定して結果を下記表４に示した。
（2）ドラバイトも水も使用しなかった場合
上記（1）と同様にして行い結果を下記表５に示した。
【００２３】
【表４】
2009052847.tif 000006
【００２４】
【表５】
2009052847.tif 000007
【００２５】
表４および５に示されているように、６０分後のテント内温度は同じ４５℃であるにもかかわらず、ドラバイトと水を使用した場合の方が木片の温度も銅板の温度も高く、過熱水蒸気による加熱効果が優れていることがわかる。
【産業上の利用可能性】
【００２６】
本発明の加熱および加湿空気送風機は人の居住空間や家畜の厩舎だけでなく、温室栽培用のビニールハウス等産業用の暖房機または加湿機として好適に利用することができる。
【図面の簡単な説明】
【００２７】
【図１】本発明の加熱および加湿空気送風機の一実施態様を示す図である。
【符号の説明】
【００２８】
１：ドラバイトセラミック
２：水槽
３：供給ノズル
４：ボールタップ
５：連結管
６：ヒーター
７：筒状体
８：セラミック層
９：送風手段
１０：断熱カバー
１１：電極部
１２：ヒーター６と筒状体７との間の横断面が環状の空間
１３：筒状体７と断熱カバー１０との間の横断面が環状の空間
１４：水蒸気化部
【図１】
2009052847.tif 000008